(57)【特許請求の範囲】
【請求項１】
光検出器の出力信号から生成されたＬＯＳ信号を補正するＬＯＳ信号補正装置であって、
補正前のＬＯＳ信号におけるエッジを検出する検出手段と、
補正前のＬＯＳ信号の値を記憶部に書き込むと共に、上記記憶部に書き込まれた補正前のＬＯＳ信号の値を補正後のＬＯＳ信号の値として出力する第１の状態、及び、上記第１の状態において上記記憶部に書き込まれた補正前のＬＯＳ信号の値を反転した値を補正後のＬＯＳ信号の値として出力する第２の状態を有する補正手段と、
上記補正手段が上記第２の状態に遷移した時点からの経過時間を計時する計時手段と、を備え、
上記補正手段は、上記検出手段が補正前のＬＯＳ信号におけるエッジを検出したことをトリガーとして上記第１の状態から上記第２の状態へと遷移し、上記計時手段により計時された経過時間が所定の時間に達したことをトリガーとして上記第２の状態から上記第１の状態へと遷移する、
ことを特徴とするＬＯＳ信号補正装置。
【請求項２】
上記所定の時間は、補正前のＬＯＳ信号の値が反転した後に生じるチャタリングの継続時間よりも長い、
ことを特徴とする請求項１に記載のＬＯＳ信号補正装置。
【請求項３】
上記光検出器に入力された光信号の受信パワーを取得する取得手段と、
上記所定の時間を上記取得手段が取得した受信パワーに応じて設定する設定手段を更に備え、上記設定手段によって設定される上記所定の時間は、受信パワーの単調増加関数によって表される、
ことを特徴とする請求項１または２に記載のＬＯＳ信号補正装置。
【請求項４】
上記取得手段は、光信号が入力されているときに、取得した受信パワーの値を上記記憶部に書き込み、光信号の入力が断たれた後に、上記記憶部に書き込まれた受信パワーの値を上記設定手段に提供する、
ことを特徴とする請求項３に記載のＬＯＳ信号補正装置。
【請求項５】
上記補正手段は、上記第２の状態から上記第１の状態へと遷移したときにサンプリングした補正前のＬＯＳ信号の値を上記記憶部に書き込む、
ことを特徴とする請求項１から４までの何れか１項に記載のＬＯＳ信号補正装置。
【請求項６】
上記補正手段は、上記第１の状態において定期的にサンプリングした補正前のＬＯＳ信号の値を上記記憶部に書き込む、
ことを特徴とする請求項１から４までの何れか１項に記載のＬＯＳ信号補正装置。
【請求項７】
請求項１から６までの何れか１項に記載のＬＯＳ信号補正装置と、上記補正前のＬＯＳ信号を生成する生成手段とを備えている、ことを特徴とするＬＯＳ信号生成装置。
【請求項８】
補正前のＬＯＳ信号の値を記憶部に書き込むと共に、上記記憶部に書き込まれた補正前のＬＯＳ信号の値を補正後のＬＯＳ信号の値として出力する第１の状態、及び、上記第１の状態において上記記憶部に書き込まれた補正前のＬＯＳ信号の値を反転した値を補正後のＬＯＳ信号の値として出力する第２の状態を有する補正手段を用いて、光検出器の出力信号から生成されたＬＯＳ信号を補正するＬＯＳ信号補正方法であって、
補正前のＬＯＳ信号におけるエッジを検出する検出工程と、
上記検出工程にて補正前のＬＯＳ信号におけるエッジを検出したことをトリガーとして上記補正手段の状態を上記第１の状態から上記第２の状態へと遷移させる第１の遷移工程と、
上記補正手段が上記第２の状態に遷移した時点からの経過時間を計時する計時工程と、
上記計時工程にて計時された経過時間が所定の時間に達したことをトリガーとして、上記補正手段の状態を上記第２の状態から上記第１の状態へと遷移させる第２の遷移工程と、を含んでいる、
ことを特徴とするＬＯＳ信号補正方法。
【請求項９】
請求項７に記載のＬＯＳ信号生成装置を備えている、ことを特徴とする光受信器。
【発明の詳細な説明】
【技術分野】
【０００１】
本発明は、ＬＯＳ信号を補正するＬＯＳ信号補正装置、及び、ＬＯＳ信号補正方法に関する。また、そのようなＬＯＳ信号補正装置を備えたＬＯＳ信号生成装置、及び、光受信器に関する。
【背景技術】
【０００２】
光信号を受信する光受信器には、無信号状態を検出するＬＯＳ（Loss Of Signal）検出機能を有するものがある。ＬＯＳ検出機能を有する光受信器は、受信パワーが所定値以下であるか否かに応じて値が切り替わるＬＯＳ信号を生成する。このＬＯＳ信号の値を参照すれば、例えば、光信号の送信元である光送信器の故障や、光信号の伝送媒体である光ファイバの断線などを検知することができる。
【０００３】
ＬＯＳ検出機能を有する光受信器としては、例えば、特許文献１に記載の光受信器が知られている。特許文献１に記載の光受信器においては、（１）フォトダイオード（以下「ＰＤ」と略記）にて得られた光電流をトランスインピーダンスアンプ（以下「ＴＩＡ」と略記）によって電圧信号に変換して増幅し、（２）ＴＩＡにて得られた電圧信号を差動増幅器によって差動信号に変換して増幅し、（３）差動増幅器にて得られた差動信号の電位差の最大値をピーク検出回路によって検出し、（４）ピーク検出回路にて検出された最大値をコンパレータによって基準電圧と比較する構成が採用されている。例えば、光信号の入力が断たれて無信号状態に遷移すると、ピーク検出回路の出力信号（アナログ信号）が立ち下がり、コンパレータの出力信号（デジタル信号）の値が反転する。
【０００４】
このような光受信器においては、光信号の入力が断たれてから暫くの間、コンパレータの出力信号の値が反転を繰り返すチャタリングと呼ばれる現象が生じる。これは、ＰＤに逆バイアス電圧が印加されているので、光信号の入力が断たれた後、ピーク検出回路の出力信号の値が振動することによる。このため、コンパレータの出力信号自身をＬＯＳ信号として利用すると、これを参照する上位システムにおいて誤動作が生じる虞がある。なお、より高い逆バイアス電圧（通常、３０Ｖ以上１００Ｖ以下）が印加されるアバランシェフォトダイオード（以下「ＡＰＤ」と略記）を光検出器として用いる場合には、ＰＮ型あるいはＰＩＮ型などのＰＤを光検出器として用いる場合よりも顕著なチャタリングが生じる。
【０００５】
そこで、特許文献１に記載の光受信器においては、コンパレータの出力信号をマイコンによって補正し、補正後のＬＯＳ信号を出力する構成が採用されている。具体的には、コンパレータ出力が反転した後、コンパレータ出力が所定の期間（特許文献１に習って以下「不感帯」と呼称）に渡って一定であることを確認してからＬＯＳ信号の値を反転させることによって、チャタリングによるコンパレータ出力の反転をマスクしている。
【先行技術文献】
【特許文献】
【０００６】
【特許文献１】特開２００４−３０４２３２（公開日：２００４年１０月２８日）
【発明の概要】
【発明が解決しようとする課題】
【０００７】
ところで、光信号の入力が断たれた後に生じるチャタリングの継続時間は、入力が断たれた光信号のパワーに依存して決まる。具体的には、光信号のパワーが大きくなれば大きくなるほど、その光信号の入力が断たれた後に生じるチャタリングの継続時間が長くなる。例えば、光検出器としてＡＰＤを用いた場合、−２０ｄＢｍの光信号の入力を断った後に生じるチャタリングの継続時間は１００μｓｅｃ程度、−１０ｄＢｍの光信号の入力を断った後に生じるチャタリングの継続時間は５ｍｓｅｃ程度になる。したがって、特許文献１に記載の技術によって、光信号の入力を断った後に生じるチャタリングをマスクするためには、不感帯の長さを想定されるチャタリングの継続時間よりも長く設定しておく必要がある。
【０００８】
このため、特許文献１に記載の技術によって、ハイパワーの光信号の入力を断った後に生じるチャタリングをマスクしようとすると、不感帯の長さを長く設定する必要が生じ、ＬＯＳ信号の応答が遅くなる（光信号の入力が断たれてからＬＯＳ信号の値が反転するまでの時間が長くなる）という問題を生じる。逆に、ＬＯＳ信号の応答を速くしようとすると、不感帯の長さを短く設定する必要が生じ、ハイパワーの光信号の入力を断った後に生じるチャタリングをマスクすることができないという問題を生じる。
【０００９】
例えば、ＳＦＰ（Small From-factor Pluggable）トランシーバでは、光信号の入力が断たれてからＬＯＳ信号の値が反転するまでの時間を１００μｓｅｃ以下に設定することが規格（ＳＦＰ−ＭＡＳ：Small Form-factor Pluggable Transceiver Multi Source Agreement）によって定められている。このため、−２０ｄＢｍよりも強い光信号を入力した場合に生じるチャタリングをマスクすべく不感帯の長さを１００μｓｅｃ以上に設定すると、規格を満足することができない。逆に、規格を満足すべく不感帯の長さを１００μｓｅｃ以下に設定すると、−２０ｄＢｍよりも強い光信号を入力した場合に生じるチャタリングをマスクすることができない。
【００１０】
なお、ここでは、ＰＤへの光信号の入力が断たれた後に生じるチャタリングに関する問題について説明したが、ＰＤへの光信号の入力が開始された後にもチャタリングが生じ、同様の問題が起こる。
【００１１】
本発明は、上記の問題に鑑みてなされたものであり、その目的は、ＬＯＳ信号の応答を遅延させることなく、光信号の入力が断たれた後に生じるチャタリング、及び、光信号の入力が開始された後に生じるチャタリングをマスクすることが可能な光受信器を実現することにある。
【課題を解決するための手段】
【００１２】
本発明に係るＬＯＳ信号補正装置は、上記課題を解決するために、光検出器の出力信号から生成されたＬＯＳ信号を補正するＬＯＳ信号補正装置であって、補正前のＬＯＳ信号におけるエッジを検出する検出手段と、補正前のＬＯＳ信号の値を記憶部に書き込むと共に、上記記憶部に書き込まれた補正前のＬＯＳ信号の値を補正後のＬＯＳ信号の値として出力する第１の状態、及び、上記第１の状態において上記記憶部に書き込まれた補正前のＬＯＳ信号の値を反転した値を補正後のＬＯＳ信号の値として出力する第２の状態を有する補正手段と、上記補正手段が上記第２の状態に遷移した時点からの経過時間を計時する計時手段と、を備え、上記補正手段は、上記検出手段が補正前のＬＯＳ信号におけるエッジを検出したことをトリガーとして上記第１の状態から上記第２の状態へと遷移し、上記計時手段により計時された経過時間が所定の時間に達したことをトリガーとして上記第２の状態から上記第１の状態へと遷移する、ことを特徴とする。
【００１３】
上記の構成によれば、補正前のＬＯＳ信号におけるエッジを検出したことをトリガーとして、補正前のＬＯＳ信号の値を補正後のＬＯＳ信号の値として出力する第１の状態から、第１の状態における補正前のＬＯＳ信号の値を反転した値を補正後のＬＯＳ信号の値として出力する第２の状態へと遷移する。このため、第１の状態においては、補正前のＬＯＳ信号の値が反転したこと（すなわち、光検出器への光信号の入力が断たれたこと、又は、光検出器への光信号の入力が開始されたこと）に即応して補正後のＬＯＳ信号の値を反転させることができる。また、第２の状態においては、第１の状態における補正前のＬＯＳ信号の値を反転した値を補正後のＬＯＳ信号の値として出力するので、チャタリングによって補正前のＬＯＳ信号の値が反転を繰り返しても、これに応じて補正後のＬＯＳ信号の値が反転を繰り返すことはない。つまり、光検出器への光信号の入力が断たれた後に生じるチャタリング、及び、光検出器への光信号の入力が開始された後に生じるチャタリングをマスクすることができる。
【００１４】
本発明に係るＬＯＳ信号補正装置において、上記所定の時間は、補正前のＬＯＳ信号の値が反転した後に生じるチャタリングの継続時間よりも長い、ことが好ましい。
【００１５】
上記の構成によれば、光検出器への光信号の入力が断たれた後に生じるチャタリング、及び、光検出器への光信号の入力が開始された後に生じるチャタリングをより確実にマスクすることができる。
【００１６】
本発明に係るＬＯＳ信号補正装置は、上記光検出器に入力された光信号の受信パワーを取得する取得手段と、上記所定の時間を上記取得手段が取得した受信パワーに応じて設定する設定手段を更に備え、上記設定手段によって設定される上記所定の時間は、受信パワーの単調増加関数によって表されることが好ましい。
【００１７】
上記の構成によれば、上記光検出器に入力された光信号の受信パワーが小さく、チャタリングの継続時間が短い場合には、第２の状態の継続時間を短く設定し、上記光検出器に入力された光信号の受信パワーが大きく、チャタリングの継続時間が長い場合には、第２の状態の継続時間を長く設定することができる。このため、補正前のＬＯＳ信号の値と補正後のＬＯＳ信号の値とが一致しない可能性のある第２の状態の継続時間を、チャタリングをマスクするために最低限必要な時間に抑え、チャタリングが収束した後に起こる光信号の変化に即座に対応することができる。
【００１８】
本発明に係るＬＯＳ信号補正装置において、上記取得手段は、光信号が入力されているときに、取得した受信パワーの値を上記記憶部に書き込み、光信号の入力が断たれた後に、上記記憶部に書き込まれた受信パワーの値を上記設定手段に提供することが好ましい。
【００１９】
上記の構成によれば、光信号の入力が断たれた後に生じるチャタリングについても、第２の状態の継続時間をチャタリングをマスクするために最低限必要な時間に抑え、チャタリングが収束した後に起こる光信号の変化に即座に対応することができる。
【００２０】
本発明に係るＬＯＳ信号補正装置において、上記補正手段は、上記第２の状態から上記第１の状態へと遷移したときにサンプリングした補正前のＬＯＳ信号の値を上記記憶部に書き込むことが好ましい。
【００２１】
上記の構成によれば、第２の状態から第１の状態へと遷移した時点で補正後のＬＯＳ信号の値を直ちに補正前のＬＯＳ信号の値に一致させることができる。すなわち、補正後のＬＯＳ信号の信頼性を向上させることができる。
【００２２】
本発明に係るＬＯＳ信号補正装置において、上記補正手段は、上記第１の状態において定期的にサンプリングした補正前のＬＯＳ信号の値を上記記憶部に書き込むことが好ましい。
【００２３】
上記の構成によれば、エッジが検出されることなく補正前のＬＯＳ信号の値が変化する（例えば、ゆっくり変化する）場合でも、第１の状態において出力する補正後のＬＯＳ信号の値を補正前のＬＯＳ信号の値に一致させることができる。すなわち、補正後のＬＯＳ信号の信頼性を更に向上させることができる。
【００２４】
本発明に係るＬＯＳ信号補正方法は、上記課題を解決するために、補正前のＬＯＳ信号の値を記憶部に書き込むと共に、上記記憶部に書き込まれた補正前のＬＯＳ信号の値を補正後のＬＯＳ信号の値として出力する第１の状態、及び、上記第１の状態において上記記憶部に書き込まれた補正前のＬＯＳ信号の値を反転した値を補正後のＬＯＳ信号の値として出力する第２の状態を有する補正手段を用いて、光検出器の出力信号から生成されたＬＯＳ信号を補正するＬＯＳ信号補正方法であって、補正前のＬＯＳ信号におけるエッジを検出する検出工程と、上記検出工程にて補正前のＬＯＳ信号におけるエッジを検出したことをトリガーとして上記補正手段の状態を上記第１の状態から上記第２の状態へと遷移させる第１の遷移工程と、上記補正手段が上記第２の状態に遷移した時点からの経過時間を計時する計時工程と、上記計時工程にて計時された経過時間が所定の時間に達したことをトリガーとして、上記補正手段の状態を上記第２の状態から上記第１の状態へと遷移させる第２の遷移工程と、を含んでいることが好ましい。
【００２５】
上記の構成によれば、上記ＬＯＳ信号補正装置と同様、ＬＯＳ信号の応答を遅くすることなく、光信号の入力が断たれたときに生じるチャタリング、及び、光信号の入力が開始されたときに生じるチャタリングをマスクすることができる。
【００２６】
上記ＬＯＳ信号補正装置を備えたＬＯＳ信号生成装置、および、上記ＬＯＳ信号生成装置を備えた光受信器についても、上記ＬＯＳ信号補正装置と同様の効果を奏する。
【００２７】
すなわち、ＬＯＳ信号の応答を遅くすることなく、光信号の入力が断たれたときに生じるチャタリング、及び、光信号の入力が開始されたときに生じるチャタリングをマスクすることが可能なＬＯＳ信号補正装置および光受信器を実現することができる。
【発明の効果】
【００２８】
本発明に係るＬＯＳ信号補正装置は、以上のように、光検出器の出力信号から生成されたＬＯＳ信号を補正するＬＯＳ信号補正装置であって、補正前のＬＯＳ信号におけるエッジを検出する検出手段と、補正前のＬＯＳ信号の値を記憶部に書き込むと共に、上記記憶部に書き込まれた補正前のＬＯＳ信号の値を補正後のＬＯＳ信号の値として出力する第１の状態、及び、上記第１の状態において上記記憶部に書き込まれた補正前のＬＯＳ信号の値を反転した値を補正後のＬＯＳ信号の値として出力する第２の状態を有する補正手段と、上記補正手段が上記第２の状態に遷移した時点からの経過時間を計時する計時手段と、を備え、上記補正手段は、上記検出手段が補正前のＬＯＳ信号におけるエッジを検出したことをトリガーとして上記第１の状態から上記第２の状態へと遷移し、上記計時手段により計時された経過時間が所定の時間に達したことをトリガーとして上記第２の状態から上記第１の状態へと遷移する。
【００２９】
したがって、本発明に係るＬＯＳ信号補正装置を用いることによって、ＬＯＳ信号の応答を遅くすることなく、光信号の入力が断たれた後に生じるチャタリング、及び、光信号の入力が開始された後に生じるチャタリングをマスクすることが可能な光受信器を実現することができる。
【図面の簡単な説明】
【００３０】
【図１】本発明の実施形態に係るマイコン（ＬＯＳ信号補正装置）の構成を示すブロック図である。
【図２】図１に示すマイコンを備えた光受信器の構成を示すブロック図である。
【図３】図１に示すマイコンによって設定される割込禁止期間の長さを表わすグラフである。
【図４】図１に示すマイコンの動作の流れを示すフローチャートである。
【図５】図１に示すマイコンの動作の流れを示すタイミングチャートであり、（ａ）〜（ｇ）は、光信号の入力が断たれた後のマイコンの動作を示し、（ｈ）〜（ｎ）は、光信号の入力が再開された後のマイコンの動作を示す。特に、（ａ）及び（ｈ）は、光信号の値を示し、（ｂ）及び（ｉ）は、ハードウェアＬＯＳ信号の値を示し、（ｃ）及び（ｊ）は、ラスト・ステートの値を示し、（ｄ）及び（ｋ）は、モジュールＬＯＳ信号の値を示し、（ｅ）及び（ｌ）は、受信パワーの値を示し、（ｆ）及び（ｍ）は、タイマーフラグ（1：タイマー停止、0：タイマー動作）の値を示し、（ｇ）及び（ｎ）は、割込フラグの値を示す。
【発明を実施するための形態】
【００３１】
本発明の一実施形態について、図面に基づいて説明すれば以下のとおりである。なお、本実施形態に係るＬＯＳ信号補正装置は、光受信器を制御するマイコン（マイクロ・コントローラ）により実現されているので、以下ではこれを「マイコン」と呼称する。
【００３２】
〔光受信器の構成〕
本実施形態に係るマイコン１０を備えた光受信器１の構成について、図２を参照して説明する。図２は、光受信器１の構成を示すブロック図である。ＬＯＳ処理部１１が備えている各ブロックについて、機能毎に纏めて手短に説明すれば以下のとおりである。
【００３３】
図２に示すように、光受信器１は、アバランシェフォトダイオード（以下「ＡＰＤ」と略記）２１と、ＡＰＤ２１のアノード端子に接続されたトランスインピーダンスアンプ（以下「ＴＩＡ」と略記）２２とを備えている。ＡＰＤ２１は、光信号のパワーに応じた大きさを有する光電流を生成するための構成であり、ＴＩＡ２２は、ＡＰＤ２１にて生成された光電流を差動信号に変換するための構成である。なお、本実施形態に係る光受信器１においては、ＡＰＤ２１を光検出器として利用しているが、本発明はこれに限定されるものではない。すなわち、ＡＰＤ２１の代わりに、非アバランシェ型のフォトダイオードを光検出器として利用したり、あるいは、フォトトランジスタを光検出器として利用したりしてもよい。
【００３４】
更に、光受信器１は、図２に示すように、ＴＩＡ２２にて生成された差動信号を増幅するための構成として、ドライバアンプ３１、リミッティングアンプ３２、及び、出力バッファアンプ３３を備えている。これらのアンプ群により増幅された差動信号ＲＤ＋／ＲＤ−は、出力端子ＯＵＴ＋／ＯＵＴ−を介して外部に出力される。
【００３５】
また、光受信器１は、図２に示すように、ＴＩＡ２２にて生成された差動信号からＬＯＳ信号を生成するための生成手段として、ピーク検出部３４、コンパレータ３５、及び、基準電圧源３６を備えている。ピーク検出部３４は、ＴＩＡ２２にて生成された差動信号の電位差の最大値を検出するための構成であり、コンパレータ３５は、ピーク検出部３４にて検出された最大値を、基準電圧源３６にて生成された基準電圧Ｖrefと比較するための構成である。コンパレータ３５によって得られた比較結果を示すデジタル信号は、マイコン１０に入力される。以下、コンパレータ３５によって生成されるこのデジタル信号のことを「ハードウェアＬＯＳ信号」と呼ぶことにする。
【００３６】
また、光受信器１は、図２に示すように、ＡＰＤ２１のカソード端子に接続されたカレントミラー回路４０を備えている。カレントミラー回路４０は、カレントミラー比＝１：Ｎのカレントミラー回路であり、ＡＰＤ２１にて生成された光電流のＮ倍の大きさをもつミラー電流を生成する。カレントミラー回路４０によって生成されたミラー電流は、電圧変換された後、ＡＤ変換部１２を介してマイコン１０に供給され、受信パワーをモニタするために利用される。
【００３７】
ＡＰＤ２１を動作させるためには、３０Ｖ以上の逆バイアス電圧を印加する必要がある。そこで、光受信器１は、図２に示すように、ＡＰＤ２１に印加するための逆バイアス電圧を生成する逆バイアス生成回路５０を備えている。逆バイアス生成回路５０は、電源電圧（ＳＦＰトランシーバの場合は＋３．３Ｖ）を昇圧することによって、ＡＰＤ２１に印加する逆バイアス電圧を得るための回路である。
【００３８】
本実施形態においては、ＡＰＤ２１に印加される逆バイアス電圧を目標値に一致させるべく、マイコン１０が、逆バイアス生成回路５０にて生成された逆バイアス電圧を参照して、逆バイアス生成回路５０の昇圧比を制御するフィードバック機構が採用されている。なお、ＡＰＤ２１の感度が最大となる逆バイアス電圧の値は温度によって異なる。このため、本実施形態においては、マイコン１０が、逆バイアス電圧の目標値を、モニタした温度においてＡＰＤ２１の感度が最大となる値に定期的（例えば２５ｍｓ周期）に設定し直すことによって、温度補償を行う構成が採用されている。このような構成は、例えば、温度と、その温度においてＡＰＤ２１の感度が最大となる逆バイアス電圧とが予め関連付けて記録されたテーブルをマイコン１０から読み出し可能なメモリ等に格納しておくことにより、実現することができる。
【００３９】
このように、ＡＰＤ２１には、３０Ｖ以上の逆バイアス電圧が印加されているため、ＡＰＤ２１は、光信号の入力が開始されたときや、光信号の入力が断たれたときに、逆バイアス電圧の変動に起因する電流ノイズを発生する。その結果、光信号の入力が開始された後や、光信号の入力が断たれた後に、コンパレータ３５の出力信号の値が反転を繰り返すチャタリングが生じることがある。そこで、光受信器１は、マイコン１０にＬＯＳ処理部１１を設け、光信号の入力が開始された後や光信号の入力が断たれた後に生じるチャタリングをマスクするよう、ハードウェアＬＯＳ信号を補正し、補正後のＬＯＳ信号（以下「モジュールＬＯＳ信号」と呼称し、上述した「ハードウェアＬＯＳ信号」と区別する）を上位システム等に出力するように構成されている。
【００４０】
なお、本実施形態において、ＡＰＤ２１、および、ＴＩＡ２２は、ＲＯＳＡ（Receiver Optical Sub Assembly）と呼ばれる単一の小型受光モジュール２０に集積化されている。また、ドライバアンプ３１、リミッティングアンプ３２、出力バッファアンプ３３、ピーク検出部３４、及び、コンパレータ３５は、単一の集積回路３０に集積されている。なお、基準電圧源３６は、集積回路３０に外付けされている。
【００４１】
〔マイコンの構成〕
マイコン１０の構成について、特に、マイコン１０が備えているＬＯＳ処理部１１の構成について図１を参照して説明する。図１は、マイコン１０が備えているＬＯＳ処理部１１の構成を示すブロック図である。
【００４２】
図１に示すように、ＬＯＳ処理部１１は、エッジ検出部１０１（検出手段）、ＬＯＳ出力部１０２（補正手段）、割込禁止期間設定部１０３（設定手段）、タイマー１０４（計時手段）、受信パワー取得部１０５（取得手段）、及び、内部レジスタ１１０（記憶部）を備えている。また、内部レジスタ１１０には、後述する割込処理を許可するか禁止するかを示す割込フラグ１１１、受信パワーを示す受信パワー値１１２、及び、後述する第１の状態において出力したモジュールＬＯＳ信号の値を示すラスト・ステート１１３が記録されている。なお、以下の説明においては、割込処理が許可されているときに割込フラグ１１１の値が”１”をとり、割込処理が禁止されているときに割込フラグの値が”０”をとるものと仮定するが、これは説明の便宜上定めたものに過ぎず、これに限定される訳ではない。
【００４３】
エッジ検出部１０１は、ハードウェアＬＯＳ信号のエッジを検出するための手段である。エッジは、ハードウェアＬＯＳ信号がＬレベルからＨレベルに立ち上がる場合にも、ＨレベルからＬレベルに立ち下がる場合にも検出される。
【００４４】
ＬＯＳ出力部１０２は、補正前のＬＯＳ信号であるハードウェアＬＯＳ信号を補正し、補正後のＬＯＳ信号であるモジュールＬＯＳ信号を生成するための手段である。ＬＯＳ出力部１０２は、入力されたハードウェアＬＯＳ信号と同じ値をもつモジュールＬＯＳ信号を出力する第１の状態と、内部レジスタ１１０に記録されているラスト・ステート１１３の値を反転した値をもつモジュールＬＯＳ信号を出力する第２の状態とを有している。
【００４５】
ＬＯＳ出力部１０２は、第１の状態において出力するモジュールＬＯＳ信号の値（第１の状態において入力されるハードウェアＬＯＳ信号の値と同じ）をラスト・ステート１１３として記録するように構成されている。このため、第２の状態において出力するモジュールＬＯＳ信号の値は、第１の状態において出力したモジュールＬＯＳ信号の値を反転した値、換言すれば、第１の状態において入力されたハードウェアＬＯＳ信号の値を反転した値に一致する。
【００４６】
ＬＯＳ出力部１０２の状態遷移は、エッジ検出部１０１及び割込禁止期間設定部１０３が、割込フラグ１１１（第１の状態において値”１”をとり、第２の状態において値”０”をとる状態変数に相当）及びタイマー１０４を設定および参照しながら動作することにより実現される。
【００４７】
すなわち、エッジ検出部１０１は、割込フラグ１１１の値が”１”であるときにエッジを検出すると、エッジを検出した旨をＬＯＳ出力部１０２および割込禁止期間設定部１０３に通知する。エッジを検出した旨の通知を受けたＬＯＳ出力部１０２は、状態を第１の状態から第２の状態に遷移させる。同時に、エッジを検出した旨の通知を受けた割込禁止期間設定部１０３は、（１）割込フラグ１１１の値を”０”に設定し、（２）受信パワーに応じた割込禁止期間を設定し、（３）設定した割込禁止期間が満了した時点を通知するようタイマー１０４に指示する。そして、割込禁止期間が満了すると、タイマー１０４は、割込禁止期間が満了した旨をＬＯＳ出力部１０２および割込禁止期間設定部１０３に通知する。割込禁止期間が満了した旨の通知を受けたＬＯＳ出力部１０２は、状態を第２の状態から第１の状態に遷移させる。同時に、割込禁止期間が満了した旨の通知を受けた割込禁止期間設定部１０３は、割込フラグ１１１の値を”１”に設定する。
【００４８】
エッジ検出部１０１は、エッジを検出すると、割込フラグ１１１の値が”１”であればエッジを検出した旨をＬＯＳ出力部１０２に通知し、割込フラグ１１１の値が”０”であればエッジを検出した旨をＬＯＳ出力部１０２に通知しない。このため、割込フラグ１１１の値が”１”であるときに、ＬＯＳ出力部１０２は、内部レジスタ１１０に記録されているラスト・ステート１１３の値を（そのまま）モジュールＬＯＳ信号として出力し、割込フラグ１１１の値が”０”であるときに、ＬＯＳ出力部１０２は、内部レジスタ１１０に記録されているラスト・ステート１１３の値を反転した値をもつモジュールＬＯＳ信号を出力する。
【００４９】
割込禁止期間設定部１０３は、光信号の入力が断たれる場合、光信号が断たれる前の受信パワーの値（内部レジスタ１１０から読み出した受信パワー値１１２）に応じた割込禁止禁止期間を設定し、光信号の入力が開始される場合、光信号の入力が開始された後の受信パワーの値（受信パワー取得部１０５から取得した受信パワーの値）に応じた割込禁止期間を設定する。いずれの場合においても、受信パワーの値が大きい場合には割込禁止期間の長さを長く設定し、受信パワーの値が小さい場合には割込禁止期間の長さを短く設定する。
【００５０】
なお、割込禁止期間設定部１０３によって設定される割込禁止期間の長さは、受信パワーの単調増加関数（階段関数を含む広義の単調増加関数）で表されるものであればよい。割込禁止期間の設定例を図３に示す。図３は、受信パワーの大きさに対する割込禁止期間の長さを表わすグラフである。割込禁止期間の長さは、図３に示すように、受信パワ−の１次関数で表されるように、あるいは、受信パワーの１次関数を階段化した階段関数で表されるように設定することができる。また、受信パワーのｎ次関数（ｎは２以上の整数）、指数関数、対数関数などで表されるように、あるいは、これらの関数を階段した階段関数で表されるように設定してもよい。
【００５１】
タイマー１０４は、上述したように、設定された割込禁止期間をカウントする。タイマーのカウントがオーバーフローしたとき、すなわち、割込禁止期間が満了したとき、タイマー１０４は、ＬＯＳ出力部１０２及び割込禁止期間設定部１０３に、割込禁止期間が満了した旨を通知する。ＬＯＳ出力部１０２および割込禁止期間設定部１０３に割込禁止期間が満了した旨を通知するための信号としては、例えば、割込禁止期間である場合にはＬレベルとし、割込禁止期間でない場合にはＨレベルとする２値信号を用いることができるが、これに限定されるものではない。
【００５２】
受信パワー取得部１０５は、カレントミラー回路４０から供給される光電流（より正確には、光電流を電圧変換することによって得られた電圧信号）をサンプリング（ＡＤ変換）し、サンプリングされた光電流の値から算出した受信パワーの値を受信パワー値１１２として内部レジスタ１１０に記録する。また、これとは別に、受信パワー取得部１０５は、エッジ検出部１０１がハードウェアＬＯＳ信号におけるエッジを検出したことをトリガーとして、カレントミラー回路４０から供給される光電流をサンプリングし、サンプリングされた光電流の値から算出した受信パワーの値を割込禁止期間設定部１０３に提供する。
【００５３】
〔マイコンの動作〕
マイコン１０が備えるＬＯＳ処理部１１が行う割込処理について、図４から図５を用いて以下に説明する。図４は、ＬＯＳ処理部１１が行う割込処理の流れを示すフローチャートである。図５（ａ）〜図５（ｇ）は、光信号の入力が断たれた場合のＬＯＳ処理部１１の動作を示すタイミングチャートであり、図５（ｈ）〜図５（ｎ）は、光信号の入力が開始された場合のＬＯＳ処理部１１の動作を示すタイミングチャートである。
【００５４】
図５（ａ）に示すように、光信号の入力が断たれると（すなわち、光信号が入力されている状態から入力されていない状態に変化すると）、図５（ｂ）に示すように、ハードウェアＬＯＳ信号の値がＬレベルからＨレベルに立ち上がる。このとき、ＡＰＤ２１から逆バイアス電圧の変動に起因する電流ノイズが発生し、その結果、ハードウェアＬＯＳ信号にチャタリングが発生する。光信号の入力が断たれてから、ハードウェアＬＯＳ信号が最初に立ち上がるまでの時間は、約２０μｓ程度であり、チャタリングを構成する最初のパルスのパルス幅は最短で２μｓ程度である。その後、最長で５ｍｓに渡りチャタリングが続く。
【００５５】
同様に、図５（ｈ）に示すように、光信号の入力が開始（すなわち、光信号が入力されていない状態から入力されている状態に変化すると）、図５（ｉ）に示すように、ハードウェアＬＯＳ信号の値がＨレベルからＬレベルに立ち下がる。このとき、ＡＰＤ２１から逆バイアス電圧の変動に起因する電流ノイズが発生し、その結果、ハードウェアＬＯＳ信号にチャタリングが発生する。光信号の入力が開始されてから、ハードウェアＬＯＳ信号が最初に立ち下がるまでの時間は、約２０μｓ程度であり、チャタリングを構成する最初のパルスのパルス幅は最短で２μｓ程度である。その後、最長で５ｍｓに渡りチャタリングが続く。
【００５６】
以下、図５（ｂ）に示すハードウェアＬＯＳ信号における最初の立ち上がりエッジ、または、図５（ｉ）に示すハードウェア信号の最初の立ち下がりエッジを検出したときに実行される割込処理の各ステップについて、図４及び図５を参照しながら説明する。
【００５７】
ステップＳ１０１：エッジ検出部１０１は、図５（ｂ）に示すハードウェアＬＯＳ信号における最初の立ち上がりエッジ、または、図５（ｉ）に示すハードウェア信号の最初の立ち下がりエッジを検出すると、エッジを検出したことをＬＯＳ出力部１０２および割込禁止期間設定部１０３に通知する。エッジ検出部１０１からの通知をトリガーとして、割込禁止期間設定部１０３は、図５（ｇ）および図５（ｎ）に示すように、割込フラグ１１１の値を、割込処理が許可されていることを示す値”１”から、割込処理が禁止されていることを示す値”０”に書き換える。なお、上述したように、エッジ検出部１０１は、割込フラグ１１１の値が”１”であるときに限って、エッジを検出したことを割込禁止期間設定部１０３に通知するように構成されている。したがって、ハードウェアＬＯＳ信号におけるエッジを検出したことをトリガーとして割込フラグ１１１の値が更新されるのは、割込処理が許可されているときのみである。
【００５８】
ステップＳ１０２：エッジ検出部１０１からの通知をトリガーとして、ＬＯＳ出力部１０２は、図５（ｄ）および図５（ｋ）に示すように、出力するモジュールＬＯＳ信号の値を、内部レジスタ１１０にラスト・ステート１１３として記録されているハードウェアＬＯＳ信号の値から、内部レジスタ１１０にラスト・ステート１１３として記録されているハードウェアＬＯＳ信号の値を反転した値へと切り替える。
【００５９】
ステップＳ１０３〜Ｓ１０５：割込フラグ１１１の値を”０”に書き換えた後、割込禁止期間設定部１０３は、割込禁止期間を設定する。具体的には、ステップＳ１０３において、光信号の入力が断たれているかを判定し、光信号の入力が断たれていれば（ステップＳ１０３においてＹＥＳ）、ステップＳ１０４において、内部レジスタ１１０に記録されている受信パワーの値を読み出し、光信号の入力が断たれていなければ（ステップＳ１０３においてＮＯ）、ステップＳ１０５において、受信パワー取得部１０５が算出した受信パワーの値を取得する。そして、割込禁止期間設定部１０３は、ステップＳ１０４において内部レジスタ１１０から読み出した受信パワーの値、または、ステップＳ１０５において受信パワー取得部１０５から取得した受信パワーの値に応じた割込禁止期間を設定し、現時点（時刻ｔ）から割込禁止期間（時間Δｔ）が経過した時点（時刻ｔ＋Δｔ）でアラームを発するようにタイマー１０４を設定する。
【００６０】
なお、ステップＳ１０３において割込禁止期間設定部１０３によって実行される判定は、例えば、内部レジスタ１１０に記録されているラスト・ステート１１３の値を参照することによって実現される。この場合、図５（ｃ）に示すように、エッジを検出した後のラスト・ステート１１３の値がＬレベル（Ｈレベルの反転）であれば、光信号の入力が断たれていると判定し、図５（ｊ）に示すように、エッジを検出した後のラスト・ステート１１３の値がＨレベル（Ｌレベルの反転）であれば、光信号の入力が断たれていないと判定すればよい。
【００６１】
また、受信パワー取得部１０５は、カレントミラー回路４０から供給される光電流（より正確には、光電流を電圧変換することによって得られた電圧信号）をサンプリング（ＡＤ変換）し、サンプリングされた光電流の値から算出した受信パワーの値を受信パワー値１１２として内部レジスタ１１０に記録するように構成されている。受信パワー取得部１０５のサンプリング周期は、例えば２５ｍｓであり、この場合、内部レジスタ１１０に記録された受信パワー値が２５ｍｓ毎に更新される。（図５（ｅ）および図５（ｌ）においては、サンプリング周期毎に実行される受信パワーの算出タイミングを白塗りの丸印で示している）。したがって、ステップＳ１０４において、割込禁止期間設定部１０３は、ハードウェアＬＯＳ信号におけるエッジを検出する直前の受信パワーの値を、内部レジスタ１１０から読み出すことになる。また、受信パワー取得部１０５は、エッジ検出部１０１がハードウェアＬＯＳ信号におけるエッジを検出したことをトリガーとして、カレントミラー回路４０から供給される光電流をサンプリングし、サンプリングされた光電流の値から算出した受信パワーの値を割込禁止期間設定部１０３に提供するように構成されている（図５（ｌ）においては、エッジ検出をトリガーとする受信パワーの算出タイミングを黒塗りの丸印で示している）。このため、ステップＳ１０５において、割込禁止期間設定部１０３は、ハードウェアＬＯＳ信号におけるエッジを検出した直後の受信パワーの値を、受信パワー取得部１０５から取得することになる。
【００６２】
また、ステップＳ１０１において、割込禁止期間設定部１０３が割込フラグ１１１の値を書き換える（割込処理を禁止する）処理、ステップＳ１０２において、ＬＯＳ出力部１０２が出力するモジュールＬＯＳ信号の値を切り替える（ラスト・ステートを反転した値を出力する）処理、及び、ステップＳ１０３〜１０５において、割込禁止期間設定部１０３が割込禁止期間を設定する処理は、何れも、エッジ検出部１０１がハードウェアＬＯＳ信号におけるエッジを検出したことをトリガーとして実行される処理であり、これらの実行順序は、図４に示したものに限定されない。すなわち、図４に示した実行してもよいし、それとは異なる順序で実行してもよいし、同時並列的に（パラレルに）実行してもよい。
【００６３】
ステップＳ１０６〜Ｓ１０７：タイマー１０４は、割込禁止期間が開始すると、図５（ｆ）及び図５（ｍ）に示すように、タイマーフラグの値をＬレベルに立ち下げ、割込禁止期間が満了するまで（ステップＳ１０７においてＹＥＳと判定されるまで）、図５（ｆ）及び図５（ｍ）に示すように、タイマーフラグの値をＬレベルに維持する。そして、割込禁止期間が満了すると（ステップＳ１０７においてＹＥＳと判定されると）、図５（ｆ）及び図５（ｍ）に示すように、タイマーフラグの値をＨレベルに立ち上げる。
【００６４】
ステップＳ１０８：割込禁止期間が満了してタイマーフラグの値がＨレベルに立ち上がったことをトリガーとして、ＬＯＳ出力部１０２は、内部レジスタ１１０に記録されたラスト・ステート１１３を更新する。ラスト・ステート１１３の更新は、例えば、コンパレータ３５から供給されるハードウェアＬＯＳ信号をサンプリングし、サンプリングされたハードウェアＬＯＳ信号の値を、ラスト・ステート１１３として内部レジスタ１１０に記録することによって実現される。
【００６５】
ステップＳ１０９：ラスト・ステート１１３の更新が完了すると、ＬＯＳ出力部１０２は、出力するモジュールＬＯＳ信号の値を、内部レジスタ１１０に記録されていたラスト・ステート１１３の値（更新前の値）を反転した値から、内部レジスタ１１０に記録されているラスト・ステート１１３の値（更新後の値）へと切り替える。
【００６６】
ステップＳ１１０：割込禁止期間が満了してタイマーフラグの値がＨレベルに立ち上がったことをトリガーとして、割込禁止期間設定部１０３は、図５（ｇ）及び図５（ｎ）に示すように、割込フラグ１１１の値を、割込処理が禁止されていることを示す値”０”から、割込処理が禁止されていることを示す値”１”に書き換える。なお、ここでは、割込禁止期間が満了したことをトリガーとして、割込フラグ１１１の値を更新する構成について説明したが、出力するモジュールＬＯＳ信号の値を切り替え終えたことをトリガーとして、割込フラグ１１１の値を更新する構成を採用してもよい。後者の構成を採用する場合には、ＬＯＳ出力部１０２がモジュールＬＯＳ信号の値を切り替え終えたことを割込禁止期間設定部１０３に通知したり、割込禁止期間設定部１０３が内部レジスタ１１０に記録されているラスト・ステート１１３の値を監視したりする構成を採用すればよい。
【００６７】
なお、本実施形態においては、ハードウェアＬＯＳ信号におけるエッジを検出したことをトリガーとして、ＬＯＳ出力部１０２が、ラスト・ステート１１３の値を反転した値をモジュールＬＯＳ信号の値として出力する構成を採用している。これは、エッジの方向（すなわち、ハードウェアＬＯＳ信号の値がＨレベルからＬレベルに変化したのか、ＬレベルからＨレベルに変化したのか）を特定し、特定したエッジの方向によってモジュールＬＯＳ信号の値を決定する構成を採用した場合、チャタリングの初期に（特に最初に）発生するパルス幅の小さいパルスによって、モジュールＬＯＳ信号の値が誤った値になってしまい易いことが、発明者らの研究により明らかになったためである。
【００６８】
また、受信パワーに基づいて割込禁止期間を設定するため、光信号が小さくチャタリングの期間が短い場合には、短い割込禁止期間を設定することができる。これによって、短いチャタリングが収束した後に起こる光信号の変化に即座に対応することができる。
【００６９】
なお、上述した割込処理とは、ハードウェアＬＯＳ信号の変化、すなわちエッジをトリガーとして開始されるステップＳ１０１からステップＳ１１０までの処理である。また、割込禁止期間とは、割込処理中に新しくエッジが検出された場合に、新しく検出したエッジをトリガーとして割込処理を開始することを禁止する期間である。これによって、チャタリングに起因するエッジを検出しても、それに応じてモジュールＬＯＳ信号の値が変化することを防ぐことができる。
【００７０】
また、割込処理は、エッジが検出されると、図２に示すマイコン１０の主な動作に割り込ませて行われる。割込処理が終了すると、マイコン１０は、割込処理が割り込んだ時点の動作から、マイコン１０の主な動作を再開する。
【００７１】
なお、本実施形態においては、割込禁止期間が受信パワーの値に応じて設定される構成について説明したが、本発明はこれに限定されるものではない。すなわち、割込禁止期間が受信パワーの値に依らず一定（例えば、５ｍｓ）となるようにしてもよい。この場合、例えば、割込禁止期間設定部１０３や受信パワー取得部１０５を省略し、エッジ検出部１０１が直接的にタイマー１０４を設定する構成を採用することができる。
【００７２】
なお、本実施形態においては、割込禁止期間が満了した時点（第２の状態から第１の状態へと遷移する時点）で、ＬＯＳ出力部１０２が、内部レジスタ１１０に記録されたラスト・ステート１１３を１度だけ更新する構成について説明したが、本発明はこれに限定されるものではない。すなわち、割込禁止期間が満了した後、ＬＯＳ出力部１０２が、ハードウェアＬＯＳ信号におけるエッジが検出されるか否かに関わらず、一定時間毎に、ラスト・ステート１１３の値を更新する構成を採用してもよい。この場合、割込禁止期間が満了した時点で、モジュールＬＯＳ信号の値をハードウェアＬＯＳ信号の値と一致させることに失敗しても、割込禁止期間が満了した後、モジュールＬＯＳ信号の値をハードウェアＬＯＳ信号の値と一致させることができる。このため、モジュールＬＯＳ信号に基づくアラーム品質の信頼性を向上することができる。
【００７３】
（プログラムおよび記録媒体）
マイコン１０に含まれているＬＯＳ処理部１１は、ハードウェアロジックによって構成すればよい。又は、次のように、ＣＰＵ（Central Processing Unit）を用いてソフトウェアによって実現してもよい。
【００７４】
すなわち、ＬＯＳ処理部１１は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００７５】
そして、本発明の目的は、ＬＯＳ処理部１１のプログラムメモリに固定的に担持されている場合に限らず、上記プログラムのプログラムコード（実行形式プログラム、中間コードプログラム、又は、ソースプログラム）を記録した記録媒体をマイコン１０に供給し、マイコン１０が上記記録媒体に記録されている上記プログラムコードを読み出して実行することによっても、達成可能である。
【００７６】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７７】
また、ＬＯＳ処理部１１（又はマイコン１０）を通信ネットワークと接続可能に構成しても、本発明の目的を達成できる。この場合、上記のプログラムコードを、通信ネットワークを介してＬＯＳ処理部１１に供給する。この通信ネットワークはＬＯＳ処理部１１にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【００７８】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７９】
〔付記事項〕
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００８０】
本発明は、ＳＦＰトランシーバなどの光受信器に好適に利用することができる。
【符号の説明】
【００８１】
１        光受信器（光受信器）
１０      マイコン（ＬＯＳ信号補正装置）
１１      ＬＯＳ処理部
１２      ＡＤ変換部
１３      マスタＩ／Ｆ
１４      スレーブＩ／Ｆ
２０      小型受光モジュール
２１      アバランシェフォトダイオード（光検出器）
２２      トランスインピーダンスアンプ
３０      集積回路
３１      ドライバアンプ
３２      リミッティングアンプ
３３      出力バッファアンプ
３４      ピーク検出部（生成手段）
３５      コンパレータ（生成手段）
３６      基準電圧源（生成手段）
４０      カレントミラー回路
５０      逆バイアス生成回路
１０１    エッジ検出部（検出手段）
１０２    ＬＯＳ出力部（補正手段）
１０３    割込禁止期間設定部（設定手段）
１０４    タイマー（計時手段）
１０５    受信パワー取得部（取得手段）
１１０    内部レジスタ（記憶部）
１１１    割込フラグ
１１２    受信パワー値
１１３    ラスト・ステート
【図１】
0005399307.tif 000002
【図２】
0005399307.tif 000003
【図３】
0005399307.tif 000004
【図４】
0005399307.tif 000005
【図５】
0005399307.tif 000006